(57)【特許請求の範囲】
【請求項１】
底盤上に配設される環状の底板と、その外周と同じ形状の内周を有し、縦割りして分割できる筒状の第１外側型枠と、前記底板の内周と同じ形状の外周を有し、前記第１外側型枠と高さが等しく、縦割りして分割できる筒状の第１内側型枠と、上記底板の厚さより板厚が薄く、この底板の外周と同じ形状の内周を有する環状の外側スペーサと、前記外側スペーサと厚さが等しく、前記底板の内周と同じ形状の外周を有する環状の内側スペーサと、前記第１外側型枠と同形状かまたは高さのみが異なり、縦割りして分割できる筒状の第２外側型枠と、前記第１内側型枠と同形状かまたは高さのみが異なり、縦割りして分割できる筒状の第２内側型枠とを備え、
上記第１外側型枠および第１内側型枠に底板を嵌合し、この第１外側型枠および第１内側型枠の上に上記外側スペーサおよび内側スペーサを介在して第２外側型枠および第２内側型枠を載置し、底盤と第１外側型枠および第１内側型枠との間に、前記第１外側型枠および第１内側型枠を上下動させるための支持手段を設けたことを特徴とする型枠の構造。
【発明の詳細な説明】
【０００１】
【発明の属する技術分野】
本発明は、橋の橋脚等に使用されるコンクリート製ウエル等の型枠の構造に関する。
【０００２】
【従来の技術】
図５は、橋の橋脚等に使用される筒状のコンクリートウエル３１を示す。コンクリートウエル３１は、例えば、通常用いられるものに外径Ｄが３ｍで高さＨが２ｍのものがある。図６は、縦打マッチキャスト製法（以下、縦打製法という）によって、コンクリートウエル３１を成型するために、従来使用されている型枠本体３４を示す。型枠本体３４は、下部に配設される高さの大きい第１の型枠３５と、その上に固定される高さの小さい第２の型枠３６とからなる。第１の型枠３５は、内枠３８（図７のＡ参照）と外枠３９とからなり、これらは分周角１２０度で縦割りにして３分割にして取り外しができる。また、第２の型枠３６も内枠４０と外枠４１とからなり、これらも１２０度間隔で縦割りにして３分割にして取り外しができる。そして、第２の型枠３６により形成される内枠４０と外枠４１により形成される開口３４ａに、コンクリートを充填し、コンクリートウエル３１が成型される。
【０００３】
図７のＡ〜Ｄは、コンクリートウエルを連続的に生産する縦打製法の手順を示す。図７のＡは上述した型枠本体３４内において、コンクリートウエル３１が成型されている状態を示している。図７のＢはコンクリートの凝結期間が経過し、コンクリートウエル３１が固化した状態を示す。図に示すように第１の型枠３５が外され、この外された第１の型枠３５が第２の型枠３６の上に固定される。そのさい、コンクリートウエル３１の上端面にコンクリートの剥離剤が塗布される。そして、第１の型枠３５の上に第２の型枠３６と同じ形状の第３の型枠３７が固定される。こうして、第１の型枠３５と第３の型枠３７により、新たな型枠本体４２が形成され、ホッパー４３から型枠本体４２にコンクリートが充填され、新たにコンクリートウエル３２が成型される。
【０００４】
図７のＣはコンクリートの凝結期間が経過し、コンクリートウエル３２が固化した状態を示す。図に示すように、コンクリートウエル３１から第２の型枠３６が外され、その上段のコンクリートウエル３２から第１の型枠３５が外されている。そして、第３の型枠３７のみが、コンクリートウエル３２に固定されている。ここで、コンクリートウエル３１は、型枠３５，３６が全て外されたので、所定の場所に移され、養生をうける。
【０００５】
次いで、図７のＤに示すように、コンクリートウエル３２が底盤４４上に載置され、第３の型枠３７上に第１の型枠３５と第２の型枠３６が固定され、新たに形成された型枠本体４５にコンクリートを充填し、コンクリートウエル３３が成型される。このように縦打製法では、成型されたコンクリートウエルの上端面を型枠の一部として利用し、同一の底盤４４上で、順次、３個の型枠３５，３６，３７を組立、解体しながら、コンクリートウエルを連続的に成型する。
【０００６】
【発明が解決しようとする課題】
従来の縦打製法では、図７のＡに示すコンクリートウエル３１から第１の型枠３５を外すとき、すなわち、第１の型枠３５の内枠３８と外枠３９を縦割りにして３分割して外すときに、第１の型枠３５の上端部及び下端部に設けたフランジが、底盤４４と第２の型枠３６との間に挟まれて引っかかったり、第２の型枠３６の自重により強く挟着され、第１の型枠３５を外すための手間がかかるという問題があった。
【０００７】
本発明は上記課題に鑑みてなされたもので、コンクリートウエル等を成型する型枠をコンクリートウエル等から簡単に外すことができる型枠の構造を提供することを目的とする。
【０００８】
【課題を解決するための手段】
以上の目的は、底盤上に配設される環状の底板と、その外周と同じ形状の内周を有し、縦割りして分割できる筒状の第１外側型枠と、前記底板の内周と同じ形状の外周を有し、前記第１外側型枠と高さが等しく、縦割りして分割できる筒状の第１内側型枠と、上記底板の厚さより板厚が薄く、この底板の外周と同じ形状の内周を有する環状の外側スペーサと、前記外側スペーサと厚さが等しく、前記底板の内周と同じ形状の外周を有する環状の内側スペーサと、前記第１外側型枠と同形状かまたは高さのみが異なり、縦割りして分割できる筒状の第２外側型枠と、前記第１内側型枠と同形状かまたは高さのみが異なり、縦割りして分割できる筒状の第２内側型枠とを備え、上記第１外側型枠および第１内側型枠に前記底板を嵌合し、この第１外側型枠および第１内側型枠の上に上記外側スペーサおよび内側スペーサを介在して第２外側型枠および第２内側型枠を載置し、前記底盤と、第１外側型枠および第１内側型枠との間に、前記第１外側型枠および第１内側型枠を上下動させるための支持手段を設けたことを特徴とする型枠の構造によって達成される。
【０００９】
【発明の実施の形態】
以下、本発明の実施の形態による型枠の構造について、図面を参照しながら説明する。
【００１０】
図１は、コンクリートウエルを成型するための型枠本体１を示し、図２は図１における型枠本体１が、所定の場所に組付けられたときのＸ−Ｘ線方向の断面図を示す。型枠本体１は、従来の技術で説明した第１の型枠３５と同じ形状の第１の型枠４と、第２の型枠３６と同じ形状の第２の型枠５とを備え、さらに、これら両者の間に配設されている図２に示すスペーサ７，８及び底板９とからなる。底板９は底盤１０上に配設され、成型される円筒状のコンクリートウエルと同じ平面形状をした環状板である。
【００１１】
図２に示すように、第１の型枠４は円筒状の内枠１１と外枠１２とからなる。内枠１１は、底板９の内径と同じ長さの外径を有し、上下端部にフランジ１１ａ，１１ｂが設けられている。内枠１１は、縦割りにして３分割して取り外しができる。また、外枠１２は底板９の外径と同じ長さの内径を有し、上下端部にフランジ１２ａ，１２ｂが設けられている。外枠１２は、縦割りして３分割にして取り外しができる。
【００１２】
第１の型枠４は、底盤１０上に配設されている底板９を、挟むようにして内枠１１と外枠１２を組立てて形成する。底盤１０上には、内枠１１及び外枠１２の下側のフランジ部１１ｂ，１２ｂを規制するように、シール部材１５ａ，１５ｂを介在させて、規制部材１６ａ，１６ｂが設けられている。内枠１１のフランジ１１ｂ及び外枠１２のフランジ１２ｂには、第１の型枠を上下動させるための支持手段として、複数の孔１７が形成され、孔１７にねじ孔を合わせてナット１８を固着し、ナット１８にボルト１９を螺合させると、ボルト１９が孔１７を貫通し、その先端部が底盤１０に突き当たり、第１の型枠４が上方に持ち上げられて、ボルト１９により支持される。
【００１３】
第２の型枠５もまた、第１の型枠４と同様に円筒状の内枠１３と外枠１４とからなる。内枠１３は、底板９の内径と同じ長さの外径を有し、上下端部にフランジ１３ａ，１３ｂが設けられている。内枠１３は縦割り３分割して取り外しができる。また、外枠１４は底板９の外径と同じ長さの内径を有し、上下端部にフランジ１４ａ，１４ｂが設けられている。外枠１４は縦割り３分割して取り外しができる。
【００１４】
内枠１１のフランジ１１ａと内枠１３のフランジ１３ｂとの間には、これらフランジ１１ａ，１３ｂと同じ平面形状をした内側環状部材であるスペーサ７を配設している。同じく、外枠１２のフランジ１２ａと外枠１４のフランジ１４ｂとの間には、これらフランジ１２ａ、１４ｂと同じ平面形状をした外側環状部材であるスペーサ８を配設している。スペーサ７，８はボルト２０により、第１の型枠４と第２の型枠５との間に締結される。
【００１５】
これらスペーサ７，８の板厚ｘについて説明する。上述したように、成型するコンクリートウエルの高さｈは２ｍである。図２に示すように、底板９は板厚がｙであり、第１の型枠４と底盤１０との隙間はｚである。底板９が第１の型枠４に挿入されている厚さｙ−ｚだけ、スペーサ７，８を足してやれば、高さ２ｍのコンクリートウエル２１を成型することができる。すなわち、スペーサ７，８の板厚ｘは、ｘ＝ｙ−ｚの関係が成り立つ。また、この関係式から底板９の板厚ｙがスペーサ７，８の板厚ｘよりも常に大きくなければ、高さ２ｍのコンクリートウエルを成型することができない。従って、スペーサ７，８の板厚ｘは、底板９の板厚ｙより薄くする必要がある。なお、本実施の形態では、底板の板厚ｙが１６ｍｍ、隙間ｚが１０ｍｍ、スペーサ７，８の板厚ｘが６ｍｍであるが、作業の行い易さを考慮すると、底板は５〜２５ｍｍ程度が望ましい。
【００１６】
以上、本発明の実施の形態による型枠の構造の構成について説明したが、次にその作用について説明する。
【００１７】
図３のＡ〜Ｄは、本実施の形態による縦打製法の手順を示す。図３のＡに示すように、型枠本体１はホッパー２４によりコンクリートが充填され、コンクリートウエル２１は凝結を始める。コンクリートが硬化しコンクリートウエル２１が固化したら、型枠本体１の第１の型枠４を取り外す。この作業は、初めに図２に示す第２の型枠５のフランジ１３ｂ，１４ｂ部に螺合されているボルト２０を外す。次いで、第１の型枠４のフランジ１１ｂ，１２ｂに螺合されている複数のボルト１９を均等に緩めていく。それによって、第１の型枠４及びスペーサ７，８は自重により下がり、底盤１０上に支持される。他方、第２の型枠５はコンクリートウエル２１に固定されている。
【００１８】
図４は、第１の型枠４が底盤１０上に支持されている状態を示す。この状態では、スペーサを外していない状態で、スペーサと第２の型枠５との間に、図２における隙間ｚと同じ大きさの隙間が開けられる。さらに、スペーサを型枠本体から外すと、底板９の板厚ｙと同じ大きさの隙間が開けられる。これにより、第１の型枠４がコンクリートウエル２１から外しやすくなる。図３のＢに第１の型枠４が、コンクリートウエル２１から外された状態を示す。
【００１９】
第１の型枠４が外されると、図３のＣに示すように、第２の型枠５の上にコンクリートウエル２１から外された第１の型枠４が固定される。そして、第１の型枠４の上に第２の型枠５と同じ形状の第３の型枠６が固定される。このようにして、第１の型枠４と第３の型枠６により新たな型枠本体２が形成され、ホッパー２４から型枠本体２にコンクリートが充填され、コンクリートウエル２２が成型される。
【００２０】
図３のＤは、コンクリートの凝結期間が経過し、コンクリートウエル２２が固化した後を示す。図に示すように、コンクリートウエル２１から第２の型枠５が外され、コンクリートウエル２２から第１の型枠４が外されている。そして、第３の型枠６のみが、コンクリートウエル２２に固定されている。ここで、コンクリートウエル２１は、型枠４，５が全て外されたので所定の場所に移動され、コンクリートウエル２２が底盤１０上に配置され、従来の技術で説明した手順で作業を行い、順次、コンクリートウエルが成型される。
【００２１】
以上述べたように、本実施の形態によれば、第１の型枠４と第２の型枠５との間に隙間を形成することができるので、第１の型枠４の内枠１１及び外枠１２をコンクリートウエルから外すときに、それらに形成したフランジ１１ａ，１１ｂ，１２ａ，１２ｂが底盤１０あるいは第２の型枠５に引っかかるようなことがなく、簡単に外せるようになった。
【００２２】
以上、本発明の実施の形態について説明したが、勿論、本発明はこれに限定されることなく本発明の技術的思想に基いて種々の変形が可能である。
【００２３】
例えば、以上の実施の形態によれば、成型するのに内枠と外枠が必要な環状のコンクリートウエルの型枠について説明したが、本発明は内枠を必要とせず外枠のみでコンクリートを成型する場合にも適用することができる。また、本実施の形態では型枠本体を円筒形にして説明したが、本発明は角形の型枠にも適用できる。
【００２４】
【発明の効果】
以上述べたように、第１の型枠と第２の型枠との間に隙間を形成することができるので、第１の型枠をコンクリートウエルから外すときに、それらに形成したフランジが底盤あるいは第２の型枠に引っかかるようなことがなく、簡単に外せるようになった。また、第１の型枠を配置するときに、底板は位置決めのガイドになるので、型枠の設置が容易になる。これらにより、作業時間の短縮ができる。
【図面の簡単な説明】
【図１】本発明の型枠の構造の実施の形態による型枠と底板を示す斜視図である。
【図２】図１における型枠本体１が、所定の場所に組付けられたときのＸ−Ｘ線方向の断面図である。
【図３】Ａは、型枠本体にコンクリートが充填されている状態を示す断面図である。Ｂは、コンクリートウエルから第１の型枠が外されている状態を示す断面図である。Ｃは、成型されたコンクリートウエルの上端部を型枠の一部として用い、新たにコンクリートウエルを成型している状態を示す断面図である。Ｄは、Ｃの状態から第１及び第２の型枠を外した状態を示す断面図である。
【図４】本発明の実施の形態による型枠が底盤上に下ろされている状態を示す断面図である。
【図５】コンクリートウエルの外観を示す斜視図である。
【図６】従来の型枠の構造を示す斜視図である。
【図７】Ａは、従来の型枠本体にコンクリートが充填されている状態を示す断面図である。Ｂは、成型されたコンクリートウエルの上端部を型枠の一部として用い、新たにコンクリートウエルを成型している状態を示す断面図である。Ｃは、Ｂの状態から第１及び第２の型枠を外した状態を示す断面図である。Ｄは、Ｃで新たに成型されたコンクリートウエルを底盤上に載置し、新たにコンクリートウエルを成型している状態を示す断面図である。
【符号の説明】
１，２  型枠本体
４  第１の型枠
５  第２の型枠
７，８  スペーサ
９  底板
１１，１３  内枠
１２，１４  外枠
２１，２２  コンクリートウエル
【図１】
0003774270.tif 000002
【図２】
0003774270.tif 000003
【図３】
0003774270.tif 000004
【図４】
0003774270.tif 000005
【図５】
0003774270.tif 000006
【図６】
0003774270.tif 000007
【図７】
0003774270.tif 000008